(57)【要約】【課題】街路灯の配置状態を管理するための登録および管理地図の作成を容易に行うことができ、街路灯管理を効率化できること。【解決手段】所定の管理エリア内に配置されている各街路灯の識別情報と位置情報とが入力される入力手段２０１と、該街路灯の識別情報と位置情報とを関連付けて格納する街路灯データベース２０４と、街路灯データベース２０４から所定の管理エリア内に位置する複数の街路灯識別情報と位置情報を読み出し、街路灯が配置された管理地図を作成する管理情報作成手段２１３と、作成された前記管理地図を出力する出力手段２０５と、を備える。【選択図】図２
2009140855.tif 000002
【特許請求の範囲】
【請求項１】
所定の管理エリア内に配置されている各街路灯の識別情報と位置情報とが入力される入力手段と、
前記街路灯の識別情報と位置情報とを関連付けて格納する街路灯データベースと、
前記街路灯データベースから所定の管理エリア内に位置する複数の街路灯の識別情報と位置情報を読み出し、当該街路灯が配置された管理地図を作成する管理情報作成手段と、
作成された前記管理地図を出力する出力手段と、
を備えることを特徴とする街路灯管理装置。
【請求項２】
前記管理情報作成手段は、
前記街路灯の位置情報に基づいて、当該街路灯が配置された位置を含む所定範囲の地図情報を地図情報データベースから読み出し、読み出した当該地図情報の上に街路灯の位置を設定することを特徴とする請求項１に記載の街路灯管理装置。
【請求項３】
前記管理情報作成手段は、
前記各街路灯の配置位置に基づいて、全ての街路灯が含まれる管理エリアを判別し、当該管理エリア内の街路灯の位置を示す管理地図を作成することを特徴とする請求項２に記載の街路灯管理装置。
【請求項４】
コンピュータを、
所定の管理エリア内に配置されている各街路灯の識別情報と位置情報とが入力される入力手段、
前記街路灯の識別情報と位置情報とを関連付けて格納するとともに、所定の管理エリア内に位置する複数の街路灯に関する識別情報と位置情報を読み出し、当該街路灯が配置された管理地図を作成する管理情報作成手段、
作成された前記管理地図を出力する出力手段、
として機能させることを特徴とする街路灯管理プログラム。
【請求項５】
街路灯毎に固有に識別情報を入力する入力手段と、
前記街路灯が配置されている場所の位置情報を検出する位置情報検出手段と、
街路灯毎の前記識別情報と、当該街路灯が配置されている前記位置情報とを関連付けて出力する出力手段と、
を備えたことを特徴とする携帯端末装置。
【発明の詳細な説明】
【技術分野】
【０００１】
この発明は、街路灯の配置を管理する街路灯管理装置にかかり、特に、所定エリアに点在する複数の街路灯の配置および詳細を管理する街路灯管理装置、街路灯管理プログラムおよび携帯端末装置に関する。
【背景技術】
【０００２】
従来、市、町、村、町内会、商店会等の管理団体がそれぞれ管理する街路灯は、それぞれ所定のエリアに点在しており、管理団体は、このエリアを示した紙面上に各街路灯の配置位置を記載して保管していた。この街路灯の配置は、電力を供給する電力会社においても行われている。このような街路灯の管理を行う技術としては、街路灯に識別番号を付したデータベースを構築し、街路灯を検索する技術（たとえば、下記特許文献１参照。）や、街路灯の情報と地図データとをリンクさせて所望する街路灯の地図上での位置等を検索する街路灯管理システム（たとえば、下記特許文献２参照。）などがある。
【０００３】
【特許文献１】特開２００７−１８４６６号公報
【特許文献２】特開２００４−１１９０３０号公報
【発明の開示】
【発明が解決しようとする課題】
【０００４】
しかしながら、上記各特許文献の技術では、街路灯の情報の入力に手間がかかっており、実際に検索等が行えるようになるシステムの稼働までに多大な手間がかかるといった問題があった。具体的には、該当の情報の入力や対応する地図上での配置の作業を手作業で行っており、街路灯の数が多くなるほど手間がかかっていた。
【０００５】
また、管理団体から電力会社に対して、街路灯の配置位置を記載した紙面の供出が要望されることもあるが、この場合においても、上記同様に、紙面上に各街路灯の配置位置や情報を手作業で作成しているのが現状であり、顧客対応のサービスの一環として効率的な作成や、サービス自体の内容向上、迅速な応答が求められている。
【０００６】
この発明は、上述した従来技術による問題点を解消するため、街路灯の配置状態を管理するための登録および管理地図の作成を容易に行うことができ、街路灯管理を効率化できる街路灯管理装置、街路灯管理プログラムおよび携帯端末装置を提供することを目的とする。
【課題を解決するための手段】
【０００７】
上述した課題を解決し、目的を達成するため、この発明にかかる街路灯管理装置は、所定の管理エリア内に配置されている各街路灯の識別情報と位置情報とが入力される入力手段と、前記街路灯の識別情報と位置情報とを関連付けて格納する街路灯データベースと、前記街路灯データベースから所定の管理エリア内に位置する複数の街路灯の識別情報と位置情報を読み出し、当該街路灯が配置された管理地図を作成する管理情報作成手段と、作成された前記管理地図を出力する出力手段と、を備えることを特徴とする。
【０００８】
また、この発明は、前記管理情報作成手段は、前記街路灯の位置情報に基づいて、当該街路灯が配置された位置を含む所定範囲の地図情報を地図情報データベースから読み出し、読み出した当該地図情報の上に街路灯の位置を設定することを特徴とする。
【０００９】
また、この発明は、前記管理情報作成手段は、前記各街路灯の配置位置に基づいて、全ての街路灯が含まれる管理エリアを判別し、当該管理エリア内の街路灯の位置を示す管理地図を作成することを特徴とする。
【００１０】
また、この発明の街路灯管理プログラムは、コンピュータを、所定の管理エリア内に配置されている各街路灯の識別情報と位置情報とが入力される入力手段、前記街路灯の識別情報と位置情報とを関連付けて格納するとともに、所定の管理エリア内に位置する複数の街路灯に関する識別情報と位置情報を読み出し、当該街路灯が配置された管理地図を作成する管理情報作成手段、作成された前記管理地図を出力する出力手段、として機能させることを特徴とする。
【００１１】
また、この発明は、街路灯毎に固有に識別情報を入力する入力手段と、前記街路灯が配置されている場所の位置情報を検出する位置情報検出手段と、街路灯毎の前記識別情報と、当該街路灯が配置されている前記位置情報とを関連付けて出力する出力手段と、を備えたことを特徴とする。
【００１２】
上記構成によれば、携帯端末装置を用いて街路灯が配置された位置に出向き、街路灯の識別情報と、配置位置における位置情報とを関連付けて街路灯管理装置に出力する。街路灯管理装置では、街路灯毎の識別情報と位置情報とを関連付けて街路灯データベースに格納する。そして、管理団体の管理エリア全ての位置情報に基づいて管理エリア内で対応する街路灯を配置させた管理地図を作成し、出力する。
【発明の効果】
【００１３】
本発明によれば、街路灯の配置状態を管理するための登録および管理地図の作成を容易に行うことができ、街路灯管理を効率化できるという効果を奏する。
【発明を実施するための最良の形態】
【００１４】
（実施の形態）
以下に添付図面を参照して、この発明にかかる街路灯管理装置、街路灯管理プログラムおよび携帯端末装置の好適な実施の形態を詳細に説明する。
【００１５】
（街路灯管理システムの全体構成）
図１は、この発明による街路灯管理装置を含む街路灯管理システムの全体構成を示す図である。街路灯管理システム１００は、サーバ等により構成され、街路灯を管理する街路灯管理装置１０１と、ネットワーク１０２を介して街路灯管理装置１０１にアクセスして街路灯の管理情報を得るＰＣ（パーソナル・コンピュータ）等からなるクライアント端末装置１０３と、街路灯管理装置１０１が管理する街路灯の管理情報の登録時に用いられ、ネットワーク１０２を介して各街路灯の情報を街路灯管理装置１０１に送信する複数の携帯端末装置１０４からなる。図１では、クライアント端末装置１０３を１台のみ記載したが、複数台設け、それぞれ街路灯管理装置１０１に接続する構成にできる。
【００１６】
この実施の形態における携帯端末装置１０４では、一般の携帯電話装置を用いる。このため、携帯端末装置１０４と街路灯管理装置１０１との間のネットワーク１０２としては、一部に携帯電話の無線網（不図示）が介在する。そして、この携帯端末装置１０４は、現在位置の位置情報を検出するために、ＧＰＳ機能を備えたものを用いる。ＧＰＳ機能は、ＧＰＳ衛星からの電波を受信し、携帯端末装置１０４の現在位置の情報を取得する。現在位置の情報は、たとえば緯度、経度などであり、地図情報上での１点を特定する情報である。
【００１７】
上記構成を用いた街路灯管理の概要について説明すると、街路灯の管理情報を作成する際には、携帯端末装置１０４を用いて実際に各街路灯が配置されている場所に出向いて行う。そして、携帯端末装置１０４が各街路灯の配置位置に移動する毎に、この配置された場所の街路灯の識別情報と、その際にＧＰＳ機能で得られた位置情報とを関連付けて街路灯管理装置１０１に送信する。識別情報は、各街路灯にそれぞれ固有の情報を含み、街路灯を識別するための情報である（詳細は後述する）。
【００１８】
街路灯管理装置１０１では、携帯端末装置１０４から入力される各街路灯毎の識別情報と位置情報に基づいて、複数の街路灯を地図上に配置させた管理情報（管理地図情報）を作成する。作成した管理情報（管理地図情報）は、クライアント端末装置１０３や携帯端末装置１０４など、所定の出力先にネットワーク１０２を介して送信することができる。
【００１９】
上記構成では、携帯端末装置１０４が各街路灯の配置位置に移動する毎に、各街路灯の配置位置で街路灯の識別情報と位置情報とを送信する構成としたが、これに限らず、各街路灯の配置位置で街路灯の識別情報と位置情報とを記憶しておき、後にまとめて送信する構成としてもよい。この際、無線の送信に限らず、ネットワーク１０２あるいは直接、街路灯管理装置１０１に有線接続して登録情報を出力する構成にもできる。
【００２０】
（街路灯管理装置の内部構成）
図２は、この発明による街路灯管理装置の内部構成を示す機能ブロック図である。街路灯管理装置１０１は、入力手段２０１と、処理手段２０２と、地図データベース（ＤＢ）２０３と、街路灯データベース（ＤＢ）２０４と、出力手段２０５とを有している。
【００２１】
入力手段２０１には、携帯端末装置１０４から送信された情報がネットワーク１０２を介して入力される。この入力手段２０１には、携帯端末装置１０４から街路灯の識別情報と、この街路灯の位置情報とが入力され、街路灯の識別情報と位置情報は、処理手段２０２に出力される。
【００２２】
処理手段２０２は、識別情報検出手段２１１と、位置情報検出手段２１２と、管理情報作成手段２１３とを有している。識別情報検出手段２１１は、入力手段２０１から出力された街路灯の情報のうち識別情報を検出し、管理情報作成手段２１３に出力する。位置情報検出手段２１２は、入力手段２０１から出力された街路灯の情報のうち位置情報を検出し、管理情報作成手段２１３に出力する。
【００２３】
管理情報作成手段２１３は、入力された街路灯の識別情報と位置情報とに基づき、各街路灯の管理情報を作成し、街路灯ＤＢ２０４に格納する。また、管理情報作成手段２１３は、この管理情報と、地図ＤＢ２０３に格納されている地図情報を用いて、地図情報の上に各街路灯を配置させた管理地図を作成する機能を有している。管理地図の作成手順については後述する。この管理地図は、街路灯ＤＢ２０４に格納する構成としてもよい。
【００２４】
管理情報作成手段２１３によって作成された管理情報は、出力手段２０５からネットワーク１０２を介して所定の出力先であるクライアント端末装置１０３に出力される。管理情報は、クライアント端末装置１０３に限らず、管理情報の出力先としてあらかじめ設定された端末装置であれば、たとえば携帯端末装置１０４に対して出力する構成としてもよい。また、この管理情報は、街路灯管理装置１０１に接続されたディスプレイへの表示出力や、プリンタから印刷出力させる構成にもできる。
【００２５】
（街路灯管理装置のハードウェア構成例）
つぎに、街路灯管理装置のハードウェア構成について説明する。図３は、この発明による街路灯管理装置のハードウェア構成を示すブロック図である。図３において、街路灯管理装置１０１は、ＣＰＵ３０１と、ＲＯＭ３０２と、ＲＡＭ３０３と、ＨＤＤ（ハードディスクドライブ）３０４と、ＨＤ（ハードディスク）３０５と、ＦＤＤ（フレキシブルディスクドライブ）３０６と、着脱可能な記録媒体の一例としてのＦＤ（フレキシブルディスク）３０７と、ディスプレイ３０８と、Ｉ／Ｆ（インターフェース）３０９と、キーボード３１０と、マウス３１１と、スキャナ３１２と、プリンタ３１３と、を備えている。また、各構成部はバス３００によってそれぞれ接続されている。
【００２６】
ここで、ＣＰＵ３０１は、街路灯管理装置１０１の全体の制御を司る。ＲＯＭ３０２は、ブートプログラムなどのプログラムを記憶している。ＲＡＭ３０３は、ＣＰＵ３０１のワークエリアとして使用される。ＨＤＤ３０４は、ＣＰＵ３０１の制御にしたがってＨＤ３０５に対するデータのリード／ライトを制御する。ＨＤ３０５は、ＨＤＤ３０４の制御で書き込まれたデータを記憶する。
【００２７】
ＦＤＤ３０６は、ＣＰＵ３０１の制御にしたがってＦＤ３０７に対するデータのリード／ライトを制御する。ＦＤ３０７は、ＦＤＤ３０６の制御で書き込まれたデータを記憶したり、ＦＤ３０７に記憶されたデータを街路灯管理装置１０１に読み取らせたりする。
【００２８】
また、着脱可能な記録媒体として、ＦＤ３０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリーカードなどであってもよい。ディスプレイ３０８は、カーソル、アイコンあるいはツールボックスをはじめ、文書、画像、機能情報などのデータを表示する。このディスプレイ３０８は、たとえば、ＣＲＴ、ＴＦＴ液晶ディスプレイ、プラズマディスプレイなどを採用することができる。
【００２９】
Ｉ／Ｆ３０９は、通信回線を通じてインターネットなどのネットワーク１０２に接続され、このネットワーク１０２を介して上記クライアント端末装置１０３、携帯端末装置１０４に接続される。そして、Ｉ／Ｆ３０９は、ネットワーク１０２と内部のインターフェースを司り、外部装置からのデータの入出力を制御する。Ｉ／Ｆ３０９には、たとえば、モデムやＬＡＮアダプタなどを採用することができる。
【００３０】
キーボード３１０は、文字、数字、各種指示などの入力のためのキーを備え、データの入力を行う。また、タッチパネル式の入力パッドやテンキーなどであってもよい。マウス３１１は、カーソルの移動や範囲選択、あるいはウィンドウの移動やサイズの変更などを行う。ポインティングデバイスとして同様に機能を備えるものであれば、トラックボールやジョイスティックなどであってもよい。
【００３１】
スキャナ３１２は、画像を光学的に読み取り、街路灯管理装置１０１内に画像データを取り込む。なお、スキャナ３１２は、ＯＣＲ機能を持たせてもよい。また、プリンタ３１３は、画像データや文書データを印刷する。プリンタ３１３には、たとえば、レーザプリンタやインクジェットプリンタを採用することができる。
【００３２】
図２に記載した入力手段２０１と出力手段２０５は、図３に記載のＩ／Ｆ３０９によって構成される。また、図２に記載の処理手段２０２は、図３に記載のＣＰＵ３０１、ＲＯＭ３０２、ＲＡＭ３０３によって構成される。また、図２に記載の地図ＤＢ２０３と、街路灯ＤＢ２０４は、図３に記載のＨＤ３０５や、ＦＤ３０７、ＤＶＤ等によって構成される。
【００３３】
また、携帯端末装置１０４についても、図３と同様のハードウェア構成を有しており、識別情報を入力するためのキーボタン等と、現在位置の位置情報を検出するためのＧＰＳ機能部（位置情報検出部）と、識別情報と位置情報とを情報処理するＣＰＵ、ＲＯＭ、ＲＡＭと、識別情報と位置情報とをネットワーク１０２に出力するＩ／Ｆと、情報の表示を行うディスプレイ等を有している。
【００３４】
さらに、クライアント端末装置１０３についても、図３と同様のハードウェア構成を有しており、街路灯管理装置１０１から管理情報を受信するＩ／Ｆと、受信した管理情報に対する加工、記憶、表示等の処理を行うＣＰＵ、ＲＯＭ、ＲＡＭと、管理情報を表示するディスプレイや、管理情報を印刷出力するプリンタ等を有している。
【００３５】
（携帯端末装置の処理内容）
つぎに、携帯端末装置１０４が行う街路灯の情報の送信の処理内容について説明する。図４は、携帯端末装置による街路灯登録のための処理内容を示すフローチャートである。図４の処理は、図３に記載のハードウェア構成と同様のＣＰＵがプログラムを実行することにより得られる。
【００３６】
携帯端末装置１０４を携帯した登録員は、直接、各街路灯が配置されている場所に出向く。すなわち、登録対象となる街路灯は、市、町、村、町内会、商店会等の管理団体が管理する所定エリアに点在しており、この所定エリア内で対象となる街路灯が配置されているそれぞれの場所に登録者が順次移動して行う。
【００３７】
登録員は、新しく登録を行う街路灯が配置されている場所に移動すると、携帯端末装置１０４に設けられている特定の登録キー（不図示）等を用いた操作を行い、この新しい街路灯に対する登録をはじめる（ステップＳ４０１：Ｙｅｓ）。この新しい街路灯の登録とは、新しく設置された街路灯だけではなく、季節の街路灯に対する新たな登録を含む。上記構成によれば、一つの街路灯の位置に達する毎に１回の登録キーを操作し、登録キーの操作があるまでの間、携帯端末装置１０４は、登録キーの操作を待つ（ステップＳ４０１：Ｎｏのループ）。
【００３８】
登録キーの操作により、一つの街路灯に関する情報入力が可能となり、携帯端末装置１０４の表示部には識別情報入力画面が表示される。そして、この識別情報入力画面上にて、現在の場所における街路灯に固有の識別情報を入力する（ステップＳ４０２）。これら識別情報の入力画面および識別情報は、図５を用いて説明する。つぎに、ＧＰＳ機能部により現在位置を取得する（ステップＳ４０３）。この現在位置は、街路灯が配置されている位置情報として用いる。
【００３９】
つぎに、ステップＳ４０２にて入力された識別情報と、ステップＳ４０３にて取得した現在位置（位置情報）を街路灯の登録情報として、ネットワーク１０２を介して街路灯管理装置１０１に送信する（ステップＳ４０４）。以上の処理により新たな一つの街路灯に関する登録のための処理が終了する。この後、全ての街路灯に関する登録が終わっていなければ（ステップＳ４０５：Ｎｏ）、つぎの街路灯の位置まで移動してステップＳ４０１以降の処理を継続する。
【００４０】
そして、全ての街路灯に関する登録が終われば（ステップＳ４０５：Ｙｅｓ）、携帯端末装置１０４に設けられている特定の登録終了キー（不図示）等の操作を行い、全ての街路灯の登録情報の送信が終了した旨を街路灯管理装置１０１に送信し（ステップＳ４０６）、処理を終了する。
【００４１】
以上説明した携帯端末装置１０４側による登録の処理によれば、登録対象となる街路灯毎に固有の識別情報と、この街路灯が配置されている位置情報とが関連付けられた登録情報が街路灯管理装置１０１に送信されることになる。
【００４２】
図５は、携帯端末装置に表示される識別情報の入力画面を示す図である。携帯端末装置１０４の入力画面５００上には、一つの街路灯毎に登録情報を構成している複数の項目が表示される。この項目としては、街路灯の識別情報である管理番号、契約番号、契約名義、引込電柱番号、設備容量、位置情報等と、備考からなる。図示の例では、識別情報の項目のうち、契約番号と、契約名義については、街路灯の場所まで出向かずとも既に共通の項目としてわかっていることとして既に情報が入力設定されている状態を示している。
【００４３】
入力画面５００の最上部には、街路灯の登録の際の処理通番を含む画面状態の情報５０１が表示されている。その下には順に、街路灯の管理番号の入力欄５０２と、引き込み電柱番号の入力欄５０３と、設備容量の入力欄５０４と、備考の入力欄５０５とが表示されている。登録者は、街路灯の場所に出向いた際に、街路灯の表記内容を見て、あるいは街路灯の設置状態を確認し、携帯端末装置１０４に設けられている操作キー等を用いて、各項目を入力欄５０１〜５０５に入力する。
【００４４】
また、この入力画面５００には、位置情報の取得用キー５１０が設けられている。この取得用キー５１０は、位置情報を取得していない状態では、図示のように選択操作可能なキーとして表示されている。そして、この取得用キー５１０を選択操作することにより、ＧＰＳ機能部に対し現在位置（すなわち、この街路灯の場所の位置情報（緯度、経度））の取得要求を行う。ＧＰＳ機能部が位置情報を取得すると、この取得用キー５１０の部分に位置情報を表示するよう、表示内容を切り替える構成にもできる。
【００４５】
（街路灯管理装置の処理内容）
つぎに、街路灯管理装置１０１が行う街路灯の管理情報作成の処理内容について説明する。図６は、街路灯管理装置による街路灯の管理情報作成のための処理内容を示すフローチャートである。図６の処理は、図３に記載のＣＰＵがプログラムを実行することにより得られる。
【００４６】
街路灯管理装置１０１は、入力手段２０１に対して携帯端末装置１０４からの登録情報の受信を待つ（ステップＳ６０１：Ｎｏのループ）、携帯端末装置１０４から新たな街路灯の登録情報が入力されると（ステップＳ６０１：Ｙｅｓ）、この登録情報の入力により、管理情報作成手段２１３は、街路灯ＤＢ２０４に新たな街路灯のレコードを作成する（ステップＳ６０２）。
【００４７】
また、識別情報検出手段２１１は、登録情報から識別情報を検出し、位置情報検出手段２１２は、登録情報から位置情報を検出し、それぞれ管理情報作成手段２１３に出力する。管理情報作成手段２１３は、新たに作成したレコードに識別情報検出手段２１１により検出した識別情報を格納し（ステップＳ６０３）、また、この同じレコードに位置情報検出手段２１２により検出された位置情報を格納する（ステップＳ６０４）。
【００４８】
以上により、ある一つの新たな街路灯についての登録情報についての登録が終了する。そして、全ての街路灯についての登録情報の登録が終了か判断する（ステップＳ６０５）。携帯端末装置１０４から登録終了を受信するまでは（ステップＳ６０５：Ｎｏ）、ステップＳ６０１に戻り、つぎの新たな街路灯についての登録処理を継続する。そして、携帯端末装置１０４から登録終了を受信すると（ステップＳ６０５：Ｙｅｓ）、管理情報作成手段２１３は、管理地図を作成し、（ステップＳ６０６）作成した管理地図を出力して（ステップＳ６０７）処理を終了する。
【００４９】
ステップＳ６０７における管理地図は、街路灯ＤＢ２０４の管理情報の一部として格納される。そして、この管理地図を含む管理情報は、出力手段２０５を介してクライアント端末装置１０３へ送信され、このクライアント端末装置１０３では、管理情報および管理地図を表示および印刷出力できる。
【００５０】
図７は、管理地図の作成処理を示すフローチャートである。図６に示したステップＳ６０６の処理内容を示している。はじめに、位置情報検出手段２１２により検出された位置情報周辺の地図情報を地図ＤＢ２０３から読み込む（ステップＳ７０１）。つぎに、読み込んだ地図情報の地図上に、位置情報が示す街路灯の位置を地図上に設定する（ステップＳ７０２）。そして、ステップＳ７０２で設定された街路灯の位置を含む地図を展開（形成）する（ステップＳ７０３）。これにより、表示および印刷可能な管理地図を出力できる。
【００５１】
図７に示した処理は、ある一つの街路灯の位置について地図上に設定する処理を示したが、図６の処理により、管理団体が管理するエリアに配置されている全ての街路灯の位置が地図上に設定され、管理地図として出力されることになる。
【００５２】
図８は、街路灯データベースの内容を示す図である。街路灯ＤＢ２０４に格納される管理情報８００は、ある管理団体別に、この管理団体が管理する複数の街路灯の情報を図示の如くまとめたものである。この街路灯ＤＢ２０４は、街路灯毎のレコードを有する。一つのレコードには一つの処理通番が付され、該当する一つの街路灯の識別情報８０１と、位置情報８０２とが記録されるようになっている。
【００５３】
たとえば、処理通番２の街路灯の識別情報８０１は、管理番号［ＦＮ０１０２］、契約番号［Ａ０００１］、契約名義［××××］、引込電柱番号［Ｄ０００２］、設備容量［Ａ］、備考の各項目からなる。また、位置情報８０２は、緯度、経度［Ｘ２，Ｙ２］からなる。レコード数（処理通番の数）は、管理団体が管理する街路灯の数に一致する。管理地図は、地図上に位置情報８０２が示す街路灯の位置をプロットする形で設定され、出力される。
【００５４】
（管理地図の出力例）
図９は、街路灯の管理地図の出力例を示す図である。街路灯管理装置１０１は、上記の管理情報をクライアント端末装置１０３に送信する。管理情報を受信したクライアント端末装置１０３は、管理情報および管理地図９００を表示装置に表示する。
【００５５】
クライアント端末装置１０３のＣＰＵ（図３記載のＣＰＵ３０１相当）は、管理情報を受信した後、この管理情報をＨＤ（図３記載のＨＤ３０５相当）に格納しておくことができ、ＨＤ格納後、管理情報のうち、管理地図９００を図９に示す所定の表示形態で表示させる。
【００５６】
図示の管理地図９００上には、管理団体が管理するエリアの地図が表示されるとともに、各街路灯の配置位置にそれぞれ街路灯のマーク９０１が表示されている。マーク９０１の○内の数字は処理通番としたが、これに限らず、管理番号等、識別情報を構成するいずれかの項目を設定することができる。各街路灯が、それぞれ異なる緯度、経度を有して配置されていれば、マーク９０１は、図示のように表示画面上に点在して表示される。これにより、管理団体が管理するエリア内での街路灯の設置状況を一目で把握することができるようになる。
【００５７】
また、ある指定した街路灯のマーク９０１ａを選択することにより、この街路灯に関連付けられた管理情報を表示することができる。この管理情報とは、上述した識別情報である。図示の例では、選択したマーク９０１ａに該当する街路灯の識別情報をポップアップの表示領域９０２に表示させる。具体的には、マーク９０１ａを選択することにより、ＣＰＵは、この選択したマーク９０１ａに対応する識別情報を読み出し、表示領域９０２部分に表示する。図示の表示領域９０２には、識別情報の項目のうち、管理番号と、位置情報（緯度、経度）を表示させているが、スクロール等で識別情報の他の項目も表示させる構成にもできる。また、図９に記載の管理地図９００は、クライアント端末装置１０３のプリンタから印刷出力することもできる。
【００５８】
図９に示した管理地図９００は、所定エリアの街路灯に関する管理情報を表示する構成としたが、管理団体が管理するエリアを自動認識し、このエリア全体を１つの画面、あるいは分割した画面で表示する構成にもできる。
【００５９】
この管理エリアの自動判別は、街路灯管理装置１０１の管理情報作成手段２１３に設けられた管理エリア抽出部（不図示）が行う。この管理エリア抽出部は、街路灯ＤＢ２０３に格納されたある管理団体の全ての街路灯に関する位置情報（緯度、経度）を読み出す。そして、地図上において最も外側に位置している街路灯の位置情報に基づいて、管理地図の表示範囲（管理エリア）を決定する。
【００６０】
図１０は、管理エリアの自動判別後の表示画面を示す図である。便宜上、この管理地図１０００には、街路灯の位置情報だけを記載した。図１０には、この管理団体が管理する全ての街路灯のマーク９０１が表示されている。縦軸Ｙは緯度、横軸Ｘは経度である。そして、このマーク９０１のうち、最も外側に位置しているマーク９０１を抽出する。最も外側とは、緯度が最も低いもの、緯度が最も高いもの、経度が最も低いもの、経度が最も高いもの、の４つである。
【００６１】
図１０の例では、緯度および経度が最も低い（Ｘ１，Ｙ１）マーク９０１Ａと、緯度が最も高い（Ｘ２，Ｙ２）マーク９０１Ｂと、経度が最も高い（Ｘ３，Ｙ３）マーク９０１Ｃとに基づいて、最外周ラインの左端がＸ１、右端がＸ３、下端がＹ１、上端がＹ２とした矩形のエリアを求め、管理地図１０００のエリアとする。これにより、クライアント端末装置１０３では、管理団体が管理する全ての街路灯のマーク９０１が含まれた管理地図１０００を表示することができ、管理するエリア内での街路灯の配置状態を容易に把握できるようになる。
【００６２】
また、図１０に示す縮尺は任意に変更させることができる。また、図１０の縮尺より詳細な縮尺での表示が必要なときには、この管理地図１０００を分割して表示させる構成としてもよい。特に、管理地図１０００を異なる縮尺でそれぞれプリンタから印刷出力する際に用いて効果的である。
【００６３】
以上説明した上記構成において、携帯端末装置１０４における識別情報の入力の変形例としては、あらかじめ各街路灯の識別情報のうち一部の項目がわかっていれば、この項目をあらかじめ携帯端末装置１０４に格納しておき、各街路灯の場所に移動する毎に、この街路灯に対応した識別情報を読み出す構成としてもよい。また、つぎの街路灯の場所への移動途中の期間に入力できる識別情報の項目があればこの項目を入力しておけば、各街路灯に移動した後に必要な識別情報の項目の入力を最小限にして登録の作業を効率的に行えるようになる。
【００６４】
また、上記構成では、携帯端末装置１０４を携帯した登録員が管理地区全体を一巡して登録処理を行う構成について説明した。この初回の登録作業に限らず、管理団体の変更、管理エリアの変更、管理エリア内での街路灯の数の変更（増加あるいは減少）等の際には、変更となった街路灯の場所にだけ出向いてこの場所の街路灯に対する識別情報の更新（追加や削減等）だけを行う構成にできる。これにより、一度管理情報を作成すればその後において街路灯の管理に変更があっても最小限の登録作業で管理情報を更新できるようになる。
【００６５】
また、上記構成の携帯端末装置１０４において入力する識別情報として、街路灯の位置において撮影した街路灯の画像を含んでも良い。携帯端末装置１０４は、画像を撮影するカメラ機能を有したものを用いれば良く、撮影した画像を識別情報の一部として街路灯管理装置１０１に送信する。街路灯管理装置１０１では、図９に示す管理地図の表示状態において、ポップアップの表示領域９０２にこの街路灯の画像を表示させ、街路灯の設置状態を管理地図上で確認することができるようになる。
【００６６】
また、上記構成の街路灯管理装置１０１は、上記の管理情報を街路灯ＤＢ２０４に格納して保持しているため、外部からの要求に応じて街路灯ＤＢ２０４を検索する検索手段を有する構成にもできる。そして、外部装置であるクライアント端末装置１０３あるいは、携帯端末装置１０４からの検索要求に応じて、該当する管理団体が管理する管理情報（管理地図を含む）を検索結果として返答する構成にできる。これにより、要求があった都度、該当する管理情報を迅速に管理団体に提供できるようになる。
【００６７】
また、上記構成では、街路灯管理装置１０１が管理地図を作成してクライアント端末装置１０３に送信し、クライアント端末装置１０３側は、受信した管理地図を単に表示する構成としたがこれに限らない。管理情報を受信するクライアント端末装置１０３あるいは携帯端末装置１０４には、管理情報に基づいて地図を表示するソフトウェア・アプリケーションをインストールしておき、受信した管理情報に基づいて管理地図を地図上に展開し、表示する構成とすることもできる。
【００６８】
また、上記実施の形態では、管理の対象として街路灯を例に説明したが、街路灯に加えて管理団体が管理する表示灯や広告灯、防犯灯の他、各種電気設備の配置についても同様に管理できるようになる。
【００６９】
なお、本実施の形態で説明した街路灯管理にかかる方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００７０】
以上のように、本発明は、管理エリア内に点在する街路灯など各種電気設備が設けられる場所の配置管理に有用であり、特に、管理エリア内における街路灯の配置を地図出力するサーバ等の管理装置に適している。
【図面の簡単な説明】
【００７１】
【図１】この発明による街路灯管理装置を含む街路灯管理システムの全体構成を示す図である。
【図２】この発明による街路灯管理装置の内部構成を示す機能ブロック図である。
【図３】この発明による街路灯管理装置のハードウェア構成を示すブロック図である。
【図４】携帯端末装置による街路灯登録のための処理内容を示すフローチャートである。
【図５】携帯端末装置に表示される識別情報の入力画面を示す図である。
【図６】街路灯管理装置による街路灯の管理情報作成のための処理内容を示すフローチャートである。
【図７】管理地図の作成処理を示すフローチャートである。
【図８】街路灯データベースの内容を示す図である。
【図９】街路灯の管理地図の出力例を示す図である。
【図１０】管理エリアの自動判別後の表示画面を示す図である。
【符号の説明】
【００７２】
１００  街路灯管理システム
１０１  街路灯管理装置
１０２  ネットワーク
１０３  クライアント端末装置
１０４  携帯端末装置
３０１  ＣＰＵ
２０１  入力手段
２０２  処理手段
２０３  地図データベース（ＤＢ）
２０４  街路灯データベース（ＤＢ）
２０５  出力手段
２１１  識別情報検出手段
２１２  位置情報検出手段
２１３  管理情報作成手段
８０１  識別情報
８０２  位置情報
９００，１０００  管理地図
９０１  マーク
【図１】
2009140855.tif 000003
【図２】
2009140855.tif 000004
【図３】
2009140855.tif 000005
【図４】
2009140855.tif 000006
【図５】
2009140855.tif 000007
【図６】
2009140855.tif 000008
【図７】
2009140855.tif 000009
【図８】
2009140855.tif 000010
【図９】
2009140855.tif 000011
【図１０】
2009140855.tif 000012